【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
第１、第２及び第３の導体層が誘電体層を介して積層される多層構造のフレキシブル基板であって、
プリント基板との電気的接続を得るための端子部と、該端子部を介して前記プリント基板に接続される伝送線路が形成された伝送線路部とを備え、
前記伝送線路は、前記第１の導体層に形成されたグランド層と、前記第２の導体層に前記グランド層と平行に形成された信号線とによって形成され、
前記端子部は、前記第１の導体層に形成されて前記グランド層とは電気的に分離された第１信号パッドと、前記第１の導体層に形成されて前記第１信号パッドを左右から挟むように配置された一対の第１グランドパッドと、前記信号線に繋がるように前記第２の導体層に形成された第２信号パッドと、前記第２の導体層に形成されて前記信号線とは電気的に分離され、前記第２信号パッドを左右から挟むように配置された一対の第２グランドパッドと、前記第３の導体層に形成された第３信号パッドと、前記第３の導体層に形成され、前記第３信号パッドを左右から挟むように配置された一対の第３グランドパッドと、前記第１グランドパッドと前記第２グランドパッドと前記第３グランドパッドとを接続するグランドビアと、前記第１信号パッドと前記第２信号パッドと前記第３信号パッドとを接続する信号ビアとを有し、
前記一対の第１、第２及び第３のグランドパッドは、前記グランド層と電気的に接続されており、
前記第２信号パッドは、前記第３信号パッドよりも幅広であることを特徴とするフレキシブル基板。
【請求項２】
前記伝送線路は、２本の前記信号線を有する差動線路であることを特徴とする請求項１に記載のフレキシブル基板。
【請求項３】
前記第２信号パッドは、前記信号線よりも幅広であり、前記第２信号パッドと前記信号線との間で導体幅が連続的に変化することを特徴とする請求項１又は２に記載のフレキシブル基板。
【請求項４】
前記第１信号パッド及び前記第３信号パッドは、前記第２信号パッドからはみ出さずに形成されていることを特徴とする請求項１から３のいずれか１項に記載のフレキシブル基板。
【請求項５】
前記第２の導体層と前記第３の導体層との間に形成される前記誘電体層は、前記第１の導体層と前記第２の導体層との間に形成される前記誘電体層よりも薄いことを特徴とする請求項１から４のいずれか１項に記載のフレキシブル基板。
【請求項６】
前記グランド層は、複数箇所で部分的に除去されていることを特徴とする請求項１から５のいずれか１項に記載のフレキシブル基板。
【請求項７】
５層以上の多層基板であることを特徴とする請求項１から６のいずれか１項に記載のフレキシブル基板。
【請求項８】
前記第１信号パッドと前記第３信号パッドとが同形状、かつ前記一対の第１グランドパッドと前記一対の第３グランドパッドとが同形状であり、
前記伝送線路部は、前記第３の導体層に、前記第１の導体層と同じ形状のグランド層を有することを特徴とする請求項１から７のいずれか１項に記載のフレキシブル基板。
【請求項９】
前記伝送線路部は、前記第３の導体層に導体が形成されていないことを特徴とする請求項１から７のいずれか１項に記載のフレキシブル基板。
【請求項１０】
前記グランド層は、前記信号線よりも幅広であることを特徴とする請求項１から９のいずれか１項に記載のフレキシブル基板。
【請求項１１】
前記一対の第１グランドパッドは前記伝送線路部まで延在し、前記第１の導体層において前記一対の第１のグランドパッドと前記グランド層とが繋がっており、
前記一対の第１グランドパッドの各々は、前記一対の第３グランドパッドの各々よりも幅広であり、前記第１信号パッド側に張り出すように配置されていることを特徴とする請求項１０に記載のフレキシブル基板。
【請求項１２】
前記一対の第２グランドパッドの各々は、前記伝送線路部まで延在しており、
前記伝送線路部は、前記一対の第２のグランドパッドの各々と前記グランド層とを接続する伝送線路部グランドビアを有し、
前記一対の第２グランドパッドの各々は、前記一対の第１グランドパッド及び前記一対の第３グランドパッドの各々よりも幅広であり、前記第２信号パッド側に張り出すように配置されていることを特徴とする請求項１０に記載のフレキシブル基板。
【請求項１３】
前記第１の導体層の前記第２の導体層とは反対側に誘電体層を介して積層された第４の導体層を備え、
前記端子部は、前記第４の導体層に形成されて、前記信号ビアを介して前記第１信号パッド、前記第２信号パッド及び前記第３信号パッドに接続される第４信号パッドと、前記第４の導体層に形成されて、前記グランドビアを介して前記一対の第１グランドパッド、前記一対の第２グランドパッド及び前記一対の第３グランドパッドに接続される一対の第４グランドパッドとを有し、
前記一対の第４グランドパッドと前記第４信号パッドとの間隔は、前記一対の第１グランドパッドと前記第１信号パッドとの間隔よりも広いことを特徴とする請求項１から１２のいずれか１項に記載のフレキシブル基板。
【請求項１４】
第１及び第２のプリント基板導体層がプリント基板誘電体層を介して重ねて設けられた多層構造のプリント基板と、請求項１から１３のいずれか一つに記載のフレキシブル基板とを接続した基板接続構造であって、
前記プリント基板は、前記フレキシブル基板との電気的接続を得るためのプリント基板端子部と、該プリント基板端子部を介して前記フレキシブル基板に接続されるプリント基板伝送線路が形成されたプリント基板伝送線路部とを備え、
前記プリント基板伝送線路は、プリント基板信号線とプリント基板グランド層とによって形成され、
前記プリント基板端子部は、前記第１のプリント基板導体層に形成されて、前記プリント基板信号線に接続されたプリント基板信号パッドと、前記プリント基板信号パッドを左右から挟むように前記第１のプリント基板導体層に形成されて、前記プリント基板グランド層に接続された一対のプリント基板グランドパッドとを有し、
前記プリント基板信号パッドと前記第３信号パッドとが電気的に接続され、前記一対のプリント基板グランドパッドと前記一対の第３グランドパッドとが電気的に接続されたことを特徴とする基板接続構造。
【請求項１５】
第１及び第２のプリント基板導体層がプリント基板誘電体層を介して重ねて設けられた多層構造のプリント基板と、請求項１から１２のいずれか一つに記載のフレキシブル基板とを接続した基板接続構造であって、
前記プリント基板は、前記フレキシブル基板との電気的接続を得るためのプリント基板端子部と、該プリント基板端子部を介して前記フレキシブル基板に接続されるプリント基板伝送線路が形成されたプリント基板伝送線路部とを備え、
前記プリント基板伝送線路は、プリント基板信号線とプリント基板グランド層とによって形成され、
前記プリント基板端子部は、前記第１のプリント基板導体層に形成されて、前記プリント基板信号線に接続されたプリント基板信号パッドと、前記プリント基板信号パッドを左右から挟むように前記第１のプリント基板導体層に形成されて、前記プリント基板グランド層に接続された一対のプリント基板グランドパッドとを有し、
前記プリント基板信号パッドと前記第１信号パッドとが電気的に接続され、前記一対のプリント基板グランドパッドと前記一対の第１グランドパッドとが電気的に接続されたことを特徴とする基板接続構造。
【請求項１６】
第１及び第２のプリント基板導体層がプリント基板誘電体層を介して重ねて設けられた多層構造のプリント基板と、請求項１３に記載のフレキシブル基板とを接続した基板接続構造であって、
前記プリント基板は、前記フレキシブル基板との電気的接続を得るためのプリント基板端子部と、該プリント基板端子部を介して前記フレキシブル基板に接続されるプリント基板伝送線路が形成されたプリント基板伝送線路部とを備え、
前記プリント基板伝送線路は、プリント基板信号線とプリント基板グランド層とによって形成され、
前記プリント基板端子部は、前記第１のプリント基板導体層に形成されて、前記プリント基板信号線に接続されたプリント基板信号パッドと、前記プリント基板信号パッドを左右から挟むように前記第１のプリント基板導体層に形成されて、前記プリント基板グランド層に接続された一対のプリント基板グランドパッドとを有し、
前記プリント基板信号パッドと前記第４信号パッドとが電気的に接続され、前記一対のプリント基板グランドパッドと前記一対の第４グランドパッドとが電気的に接続されたことを特徴とする基板接続構造。
【請求項１７】
前記プリント基板信号線は、前記第１のプリント基板導体層に形成され、かつ、前記プリント基板グランド層は前記第２のプリント基板導体層に前記プリント基板信号線よりも幅広に形成されており、
前記プリント基板端子部は、前記一対のプリント基板グランドパッドと前記プリント基板グランド層とを接続するプリント基板グランドビアを有することを特徴とする請求項１４から１６のいずれか１項に記載の基板接続構造。
【請求項１８】
前記プリント基板信号線は、前記第１のプリント基板導体層に形成されており、前記プリント基板グランド層は、前記プリント基板信号線を両側から挟むように前記第１のプリント基板導体層に形成されていることを特徴とする請求項１４から１６のいずれか１項に記載の基板接続構造。
【請求項１９】
前記プリント基板信号パッドが前記第２信号パッドからはみ出さないように、前記プリント基板と前記フレキシブル基板とが接続されたことを特徴とする請求項１４から１８のいずれか１項に記載の基板接続構造。
【請求項２０】
請求項１から１３のいずれか１項に記載のフレキシブル基板を備えた光モジュール。
【手続補正２】
【補正対象書類名】明細書
【補正対象項目名】発明の名称
【補正方法】変更
【補正の内容】
【発明の名称】フレキシブル基板、基板接続構造及び光モジュール